(57)【特許請求の範囲】
【請求項１】
少なくとも２つの無線局（ＢＳ，ＭＳ，ＭＢＳ）が設けられており、これらの無線局は通信コネクションのデータをデータシンボル（ｄ）のかたちで送受信し、１つの無線局（ＭＳ）は移動無線局として形成されており、無線インタフェースがＴＤＭＡ加入者分離方式に従い複数のタイムスロット（ｔｓ）として構成されている、
無線通信システムにおける無線インタフェースを介してデータを伝送する方法において、
無線局（ＢＳ，ＭＳ，ＭＢＳ）から１つのタイムスロット（ｔｓ）内で、受信側の無線局（ＢＳ，ＭＳ，ＭＢＳ）に既知である少なくとも２つのトレーニングシーケンス（ｔｓｅｑ）を、有限の無線ブロック内で送信し、
それらのトレーニングシーケンス（ｔｓｅｑ）を用いて受信側の無線局（ＢＳ，ＭＳ，ＭＢＳ）によりチャネル推定を実行し、
タイムスロット（ｔｓ）内でのトレーニングシーケンス（ｔｓｅｑ）の位置決めにより、データシンボル（ｄ）と次に位置するトレーニングシーケンス（ｔｓｅｑ）との最大間隔を最小にすることを特徴とする、
無線通信システムにおける無線インタフェースを介してデータを伝送する方法。
【請求項２】
受信側の無線局（ＢＳ，ＭＳ）は、１つのタイムスロット（ｔｓ）内のトレーニングシーケンス（ｔｓｅｑ）からのチャネル推定の内挿および／または外挿を実行する、請求項１記載の方法。
【請求項３】
タイムスロット（ｔｓ）の長さをトレーニングシーケンス（ｔｓｅｑ）の個数に依存して変化させる、請求項１または２記載の方法。
【請求項４】
トレーニングシーケンス（ｔｓｅｑ）の長さを短くし、タイムスロット（ｔｓ）の長さは一定に保持する、請求項１から３のいずれか１項記載の方法。
【請求項５】
請求項１記載の方法を実施するための無線通信システムにおいて、
少なくとも２つの無線局（ＢＳ，ＭＳ，ＭＢＳ）が設けられており、１つの無線局（ＭＳ，ＭＢＳ）は移動無線局として構成されていることを特徴とする無線システム。
【請求項６】
無線通信システムは移動無線システムとして構成されており、移動無線局（ＭＳ）は移動基地局（ＭＢＳ）として形成されている、請求項５記載の無線通信システム。
【請求項７】
無線通信システムは移動無線システムとして構成されており、移動無線局（ＭＳ）は移動局として形成されている、請求項５記載の無線通信システム。
【発明の詳細な説明】
【０００１】
本発明は、無線通信システムたとえば移動無線システムにおける無線インタフェースを介してデータを伝送する方法および装置に関する。
【０００２】
無線通信システムの場合、メッセージ（たとえば音声、画像情報あるいはその他のデータ）は、電磁波によって伝送される。その際、電磁波の放射は、個々のシステムのためにまえもって設定されている周波数帯域内に位置する搬送波周波数により行われる。ＧＳＭ（Global System for Mobile Communication）の場合、搬送波周波数は９００ＭＨｚのレンジにある。将来の無線通信システムたとえばＵＭＴＳ（Universal Mobile Telecommunication System）または第３世代のその他のシステムのために、周波数は約２０００ＭＨｚの周波数帯域に設定されている。
【０００３】
放射される電磁波は、地球の弧線等に起因する反射や回折や放射による損失に起因して減衰される。その結果、受信側の無線局が利用できる受信電力が低下する。このような減衰は位置に依存しており、また、無線局が移動していれば時間にも依存する。
【０００４】
送信側の無線局と受信側の無線局との間に、電磁波を用いてデータ伝送を行う無線インタフェースが存在している。ＧＳＭ移動無線システムの場合、加入者分離は、時分割多元接続方式いわゆるＴＤＭＡ（Time Division Multiple Access）方式に従って行われ、この方式が周波数多元接続方式ＦＤＭＡ（Frequency Division Multiple Acess）と組み合わせられて用いられる。
【０００５】
ＧＳＭ移動無線システムの場合、ＴＤＭＡフレームが８個のタイムスロットに分割されている。通信コネクションまたはシグナリング情報のデータは、無線ブロックいわゆるバーストとしてタイムスロット内で伝送され、ここで１つの無線ブロック内で既知のシンボルをもつミッドアンブルが伝送される。これらのミッドアンブルは、無線局における受信側のチューニングのためにトレーニングシーケンスとして利用することができる。受信側の無線局は、ミッドアンブルに基づき様々な伝送チャネルに関するチャネルパルス応答の推定を実行する。移動無線チャネルの伝送特性は位置と周波数に依存しているので、受信側の移動局はこのトレーニングシーケンスを用いて受信信号のひずみ除去ないしは等化を行うことができる。
【０００６】
移動無線局の速度が増大すると無線インタフェースにおける伝送特性もいっそう急速に変化するので、等化をいっそう高速に追従して行わなければならない。ＧＳＭ移動無線システムにおいて使用されるＴＤＭＡ加入者分離方式は、制約された無線移動局速度のためにしか設計されていない。速度限界以上であると伝送特性が急速に変化して、適切な等化追従調整がもはや不可能となり伝送エラーが非常に増えてしまうおそれがある。約９００ＭＨｚ付近で動作するＧＳＭシステムの場合、そのような上限は約２５０ｋｍ／ｈである。これに対し、動作周波数についてのみ変更された約１．８ＧＨｚ付近のＧＳＭ１８００システムであると、すでにほぼ１２５ｋｍ／ｈにおいて速度限界が生じる。
【０００７】
第３世代の移動無線システムの場合、周波数レンジは約２〜２．５ＧＨｚの間に設定されており、このことから既述の技術を使用したとすれば最大速度がいっそう抑えられてしまうことになる。
【０００８】
第２世代および第３世代の移動無線システムのために、たとえば高速列車や低軌道の衛星など移動局が非常に高速に移動するような新たな適用分野を開拓するためには、無線局受信側において等化をいっそう高速に追従して行わなければならない。
EP-A-0 535 403 によれば、ＴＤＭＡ方式に従いタイムスロット内で伝送されるディジタルデータ信号の受信方法が公知である。この場合、ディジタルデータ信号にはそれぞれ、シンボルのトレーニングシーケンスをもつ複数のシンボルが含まれている。ディジタルデータ信号を記憶した後、第１のタイムスロットにおけるディジタルデータ信号の一部分から、および第２のタイムスロットにおけるディジタルデータ信号の一部分から、それぞれチャネル情報が求められ、ついで推定されたチャネル情報値として組み合わせられる。その後、第１のタイムスロットにおけるディジタルデータ信号のシンボルが推定されたチャネル情報値によって等化され、復調される。
EP-A-0 767 557 により公知の方法によれば、受信信号の時間的な位置を求めるため移動無線局は、受信したＴＤＭＡ伝送方式による無線ブロックから少なくとも２つのトレーニングシーケンスを使用する。その後、求められた時間的な位置が、移動局の位置特定のために使われる。この場合、移動局は、固有の通信コネクションにおける無線ブロック内のトレーニングシーケンスを使用するかまたは、固有の通信コネクションにおける無線ブロック内のトレーニングシーケンスと、これに加えてその移動局にとって既知である別の通信コネクションの１つまたは複数のトレーニングシーケンスを使用する。
WO-A-9611533 によれば、ＴＤＭＡシステムにおける信号検出方法が公知である。この方法によれば、第１の信号および少なくとも１つの別の干渉する信号のマルチパスチャネル推定が求められる。その後、第１の信号が、第１の信号のチャネル推定と別の信号のチャネル推定を用いて検出される。
さらに US-5 185 764 によれば、時間的に変動し歪んだデータ信号を受信するための受信機が知られている。殊にこの受信機は、データ信号といっしょに送信されたトレーニングシーケンスと、受信機内に格納されたトレーニングシーケンスのイメージを用いて、チャネル情報を発生する。
【０００９】
したがって本発明の課題は、時分割多元接続方式に基づくデータ伝送方法およびデータ伝送装置において、無線局の速度が高速であっても伝送特性の追従が行えるようにすることである。
【００１０】
本発明によればこの課題は、請求項１の特徴部分に記載の方法および請求項６記載の方法ならびに請求項１１または１２の特徴部分に記載の装置によって解決される。従属請求項には本発明の有利な実施形態が示されている。
【００１１】
請求項１記載の無線通信システムにおける無線インタフェースを介した本発明によるデータ伝送方法によれば、少なくとも２つの無線局がそれぞれ通信コネクションのデータをデータシンボルのかたちで送受信し、その際、無線局は移動無線局として構成されている。各無線局間の無線インタフェースは、ＴＤＭＡ方式に従い有限の無線ブロックをもつ複数のタイムスロットとして構成されている。無線局は１つのタイムスロット内で、それぞれ受信側の無線局にとって既知である少なくとも２つのトレーニングシーケンスを送信する。このトレーニングシーケンスを用いることで無線局はチャネル推定を実行し、ここでトレーニングシーケンスは、データシンボルと次に位置するトレーニングシーケンスとの最大間隔が低減されるよう、タイムスロット内で位置決めされている。
【００１２】
この方法のもつ利点とは、無線区間における伝送特性の変化を１つのタイムスロット内において少なくとも２回、無線局によって検出できることであり、これによって移動無線局の最高速度がかなり高くてもデータの伝送が可能となる。この目的でトレーニングシーケンスは既述の形式に従い１つのタイムスロット内で、データシンボルと次に位置するトレーニングシーケンスとの間の最大間隔ができるかぎり小さく保持されるように配置される。なぜならば、このことは最高速度の上限にダイレクトに影響を及ぼすからである。
【００１３】
本発明の１つの実施形態によれば、無線局は１つのタイムスロット内のトレーニングシーケンスからチャネル推定の内挿および／または外挿を実行する。この場合、内挿および／または外挿は、伝送時に無線インタフェースに生じるマルチパス伝播における時間的に分解可能なすべての成分について行われる。この構成のもつ利点は、伝送特性の時間的な変化をこのようにすることでタイムスロット内のすべての無線ブロックについて追従できることであり、その際、外挿によって、今後の伝送特性に関する制限された前提をとることも可能である。２つまたはそれよりも多くのトレーニングシーケンスを用いた場合には線形の内挿および／または外挿が可能であるのに対し、タイムスロットあたり３つのトレーニングシーケンスを用いるのであれば２次の内挿および／または外挿が可能である。
【００１４】
第２の実施形態によれば１つのタイムスロット内におけるトレーニングシーケンスの個数に依存して、タイムスロットの長さがＧＳＭ移動無線システムにおいて既知の無線ブロック構造とは異なるように変えられ、その結果、無線ブロックのデータレートをトレーニングシーケンスの個数とは無関係に一定に保持することができる。２つのトレーニングシーケンスの場合にタイムスロットの長さをたとえば２倍にすれば、データシンボルの個数とタイムスロットの時間全体との関係が、通常のタイムスロット長でありただ１つのトレーニングシーケンスである場合と同じになり、このようにしてタイムスロットを長くしても既知のＴＤＭＡタイムフレーム内に問題なく統合できる、という利点が得られる。
【００１５】
無線ブロックにおけるデータレートを維持するためまたは高めるため、別の実施形態によればトレーニングシーケンスの長さが短くされ、その際にタイムスロットの長さは一定に保持される。トレーニングシーケンスの長さを短くすることはとりわけ、高速列車や衛星における適用事例において実現可能であり有用である。なぜならばたとえば直線的なレールや軌道のため、また、ほとんどあるいはまったく障害物がないため、無線区間においてマルチパス伝播（Delay-Spread）が著しく低減されるからであり、つまり、マルチパス伝播において無線局によりデータシンボルを一義的に受信可能にする最大可能な遅延時間が著しく低減されるからである。
【００１６】
本発明の別の実施形態によれば、１つまたは複数の通信コネクションにおける無線ブロックが、拡張されたタイムスロットにおいて多重無線ブロックとしてまとめられる。その際、各タイムスロットの間の保護時間が付加的に、データシンボルの伝送のためにまたはデータ保護のために用いられる。この実施形態もやはり、たとえば高速列車や衛星通信において有利に使用することができる。通常、１つだけでなく複数の通信コネクションを基地局と高速列車との間で同時に伝送しなければならないので、複数のアクティブな通信コネクションのデータシンボルがそのような多重無線ブロックとしてまとめられ、拡張されたタイムスロット内で共通に伝送される。いっそう多くの個数のトレーニングシーケンスであるため、受信側における等化がいっそう迅速に追従して行われ、保護時間を利用して付加的な伝送容量が得られる。拡張されたタイムスロットの長さを適切に選定することにより、これを問題なく既知のＴＤＭＡタイムフレームに統合することができる。
【００１７】
無線通信システムにおける無線インタフェースを介した請求項６記載の本発明によるデータ伝送方法の場合、少なくとも２つの無線局がそれぞれ通信コネクションのデータをデータシンボルのかたちで送受信し、その際、１つの無線局は移動無線局として構成されている。各無線局間の無線インタフェースは、ＴＤＭＡ加入者分離方式に従って有限の無線ブロックをもつタイムスロットとして構成されている。各無線局は、通信コネクションに割り当てられた１つのタイムスロット内で、そのつど受信側の無線局にとって既知である少なくとも１つのトレーニングシーケンスを送信する。そのようなタイムスロット内のこのトレーニングシーケンスと、少なくとも１つの別の通信コネクションに割り当てられた少なくとも１つの別のタイムスロットにおいて伝送される少なくとも１つの別の既知のトレーニングシーケンスとを用いることで、移動無線局はチャネル推定を実行する。
【００１８】
有利には、無線局は伝送特性をいっそう迅速に追従して行うことができる。それというのも、それぞれ１つのタイムスロットにおいて伝送される無線ブロックのために少なくとも２つのトレーニングシーケンスをチャネル推定の基礎とすることができるからである。
【００１９】
請求項６記載の本発明の第１の実施形態によれば、移動無線局および／または無線局はチャネル推定の内挿および／または外挿を実行する。この実施形態のもつ利点とは、タイムスロット内の無線ブロック全体について伝送特性の時間的な変化に追従できることであり、その際、外挿により以降の伝送特性に関して制限された前提条件を与えることができる。２つまたはそれ以上のトレーニングシーケンスを用いた場合には１次の内挿および／または外挿が可能であり、これに対しタイムスロットごとに３つのトレーニングシーケンスを用いたのであれば、２次の内挿および／または外挿が可能である。
【００２０】
請求項６記載の本発明の第２の実施形態によればトレーニングシーケンスは送信側の無線局において、データシンボルのための平均送信出力よりも大きい一定の送信出力を用いて送信される。この実施形態により移動無線局は、ロケーションや別の移動無線局のための出力調節とは無関係に伝送特性を介して精確なチャネル推定を行うことができ、この場合、別のタイムスロット内における別の移動無線局のトレーニングシーケンスがチャネル推定のために用いられる。また、送信出力をいっそう高めることで、トレーニングシーケンス受信時の平均ＳＮ比が改善される。
【００２１】
この実施形態に対する代案として請求項６記載の本発明による別の実施形態によれば、トレーニングシーケンスのための送信出力がデータシンボルのための送信出力と一致しており、その際、移動無線局は無線局から送信された補正係数を用いることで、別のタイムスロット内のトレーニングシーケンスに対する送信出力の補正を行い、ついでチャネル推定を実行する。この実施形態によれば移動無線局は既述のように、ロケーションや別の移動無線局へのデータシンボル伝送用の出力調節とは無関係に、伝送特性を介して精確なチャネル測定を実行することができる。
【００２２】
請求項６記載の本発明の別の実施形態によれば、１つまたは複数の通信コネクションにおける無線ブロックが拡張されたタイムスロット内で１つの多重無線ブロックとしてまとめられ、その際、移動無線局は多重無線ブロック内のトレーニングシーケンスを用いて、または多重ブロック内のトレーニングシーケンスと少なくとも１つの別のタイムスロット内のトレーニングシーケンスを用いて、チャネル推定を実行する。有利には、この実施形態によってきわめて精確なチャネル推定が実現される。なぜならば、多重無線ブロック内のトレーニングシーケンスは無線局から同じ送信出力で送信されるからである。
【００２３】
次に、添付の図面を参照しながら本発明の実施例について詳しく説明する。
【００２４】
図１は、無線通信システムたとえば移動無線システムのブロック図であり、図２は、無線局をそこにおいて実現されている受信経路用のコンポーネントとともに示すブロック図であり、図３は、ＴＤＭＡ加入者分離方式におけるフレーム構造を示す図であり、図４は、１つのトレーニングシーケンスをもつタイムスロットを示す図であり、図５は、２つのトレーニングシーケンスをもつタイムスロットを示す図であり、図６は、高速列車における適用に関する無線通信システムのブロック図であり、図７は、多重無線ブロックを示す図であり、図８は、相前後する複数のタイムスロットを示す図である。
【００２５】
図１に示されている無線通信システムはその構造に関して既知のＧＳＭ移動無線ネットワークに対応し、これは複数の移動交換局ＭＳＣから成り、それらは互いにネットワーク接続されているかまたは固定ネットワークＰＳＴＮへのゲートウェイを成している。さらにこれらの移動交換局ＭＳＣはそれぞれ、少なくとも１つの基地局コントローラＢＳＣと接続されている。各基地局コントローラＢＳＣによりさらに、少なくとも１つの基地局ＢＳＣとのコネクションが可能となる。これらの基地局ＢＳは、無線インタフェースを介して各無線局ＭＳに対する通信コネクションを確立することのできる無線局である。
【００２６】
図１には実例として、移動無線局ＭＳと基地局ＢＳとの間で有効データとシグナリング情報を伝送するための通信コネクションＶが描かれている。本発明による移動無線システムによって、このような構造の機能が利用される。
【００２７】
基地局ＢＳは、たとえば３つの個別放射器から成るアンテナ装置と接続されている。個別放射器の各々は、基地局ＢＳによりサービスされる無線セルの１つのセクタに向けて放射を行う。しかし択一的に、（アダプティブアンテナのように）もっと多くの個数の個別放射器を使用してもよく、その場合にはＳＤＭＡ（Space Division Multiple Access）方式による空間的な加入者分離を使用することもできる。
【００２８】
図２には、基地局ＢＳまたは移動局ＭＳの構造が実例として描かれており、ここでは受信経路に関連するコンポーネントだけしか示されていない。とはいえ通常は両方の側でのトラヒック関係が存在し、つまり基地局ＢＳまたは無線局ＭＳは送信装置も有している。
【００２９】
アンテナ装置ＡＥを介して、マルチパス伝播や障害や遅延によって損なわれて到来する受信信号ｒｘが受信され、受信装置ＥＥへ供給される。受信信号ｒｘから受信装置ＥＥにおいてたとえばベースバンドへの移行ならびにそれに続くアナログ／ディジタル変換によりディジタル信号が生成され、それらは受信装置ＥＥ内でチャネル推定器ＫＳへ供給される。チャネル推定器ＫＳは検出器ＤＴと接続されており、この検出器へディジタルの受信信号ｒｘから導出されたアンテナデータｚおよびチャネル推定器ＫＳにおいて求められたチャネル係数ｈが供給される。たとえばビタビ検出器として構成されている検出器ＤＴは、チャネル係数ｈを用いてアンテナデータｚの等化とデータ検出を行ってシンボルｓを生成し、それらの信号は受信装置ＥＥにおける後続の装置（図示せず）へ供給される。その後、それらの後続の装置において、復号および必要に応じてさらに別の処理プロセスが実行される。
【００３０】
また、チャネル推定器ＫＳに制御装置ＳＥが接続されており、チャネル推定時に形成される相関値Ｋが評価され、これがチャネル係数ｈを求めるための基礎を成す。この評価に依存して、検出器ＤＴにより求められた値が追従ユニットＮＥによって選択的にチャネル推定に取り込まれるよう、チャネル推定が制御される。
【００３１】
図３には、無線インタフェースのフレーム構造が示されている。ＴＤＭＡコンポーネントによれば、それぞれ１つの周波数レンジが複数のタイムスロットｔｓたとえば８個のタイムスロットｔｓ１〜ｔｓ８に分割されるように構成されている。周波数レンジＢ内の各タイムスロットｔｓは、１つの周波数チャネルを成している。データ伝送のために設けられている周波数チャネル内で、複数のコネクションの情報が無線ブロックにおいて伝送される。ＦＤＭＡ（Frequency Division Multiple Access）コンポーネントによれば、無線通信システムに複数の周波数レンジＢが割り当てられている。
【００３２】
１つの周波数レンジＢ内で相前後するタイムスロットｔｓが、フレーム構造に従って区分される。この場合、８つのタイムスロットｔｓが１つのフレームにまとめられ、ここでフレームにおける特定のタイムスロットｔｓがデータ伝送のための１つの周波数チャネルを成し、一群の通信コネクションによって繰り返し利用される。たとえば移動無線局ＭＳの周波数同期または時間同期のためのさらに別の周波数チャネルは各フレーム内には挿入されていないが、１つのマルチフレーム内において所定の時点に挿入される。これらの周波数チャネル間の間隔により、そのために無線通信システムが利用できるキャパシティが決定される。
【００３３】
図４によればデータ伝送のための無線ブロックは、複数のデータシンボルｄをもつデータ部分から成り、そこには受信側でＧＳＭ移動無線システムにより既知であるミッドアンブルが一般に対称に埋め込まれており、さらにそこにおいてトレーニングシーケンスｔｓｅｑも伝送される。さらにタイムスロットｔｓ内に、順次連続するタイムスロットｔｓの通信コネクションにおける種々の信号伝播時間を補償するための保護時間ｇｕａｒｄが設けられている。
【００３４】
図５には実例として１つのタイムスロットｔｓが、その中に埋め込まれた２つのトレーニングシーケンスｔｓｅｑとともに描かれている。この場合、トレーニングシーケンスｔｓｅｑは、データシンボルｄとトレーニングシーケンスｔｓｅｑとの最大間隔が最小化されるように配置されている。タイムスロットｔｓごとにたとえば１６個のデータシンボルであれば、１つのトレーニングシーケンスｔｓｅｑはそれぞれ４個または１２個のデータシンボルの後に配置されており、したがって次に位置するトレーニングシーケンスｔｓｅｑに対するデータシンボルｄの最大間隔は、最高で３個のデータシンボルｄとなる。１つのタイムスロットｔｓ内に２つまたは複数のトレーニングシーケンスｔｓｅｑが配置されていることから、データシンボル伝送のためのデータレートが制約される可能性がある。しかしたとえば、タイムスロットｔｓの比例した時間的拡張により、あるいは時間的に短くしたトレーシングシーケンスｔｓｅｑを使用することにより、そのような制約を補償することができる。
【００３５】
図６には、高速列車に本発明を適用した実例が示されている。この適用事例の場合、トレーニングシーケンスｔｓｅｑを所定の範囲内で短くすることができる。その理由は、たいていは露出したあるいはレールの近くに配置された基地局ＢＳと列車との間の無線区間は、僅かな妨害物あるいは地勢的な障害物によってしか妨げられず、つまりは遅延拡散ないしはディレイスプレッド（Delay-Spread）が比較的小さくなるからである。これと同じことは、本発明を衛星通信に適用する場合についてもあてはまる。
【００３６】
高速列車内における乗客の人数が多いことを考慮すると、列車内の移動局ＭＳ１，ＭＳ２，ＭＳ３からの、またはそれらへの複数の通信コネクションＶ１，Ｖ２，Ｖ３が同時に発生する可能性がある。有利には、送出するまたは到来する無線ブロックがこのように束になって発生することを、列車内で移動基地局ＭＢＳにおいて各通信コネクションＶ１，Ｖ２，Ｖ３の無線ブロックをすべてあるいは部分的に１つの多重無線ブロックＶｍにまとめることに利用することができる。図７には、このような多重無線ブロックの実例が示されている。
【００３７】
この多重ブロック内で、移動局ＭＳ１，ＭＳ２からのまたはそれらへの２つの通信コネクションＶ１およびＶ２のデータシンボルｄがまとめられ、拡張されたタイムスロットｔｓ内で伝送される。その際、一般に各タイムスロットｔｓの間に設けられた保護時間ｇｕａｒｄを付加的に、一方または両方のコネクションデータシンボル伝送のために、あるいは拡張されたデータ保護のために利用することができる。
【００３８】
このように拡張されたタイムスロットｔｓは、時分割多重方式の１つのタイムフレームに問題なくまとめることができる。受信側の基地局ＢＳまたは移動基地局ＭＢＳは、チャネル推定のために多重無線ブロックＶｍ内で伝送されるトレーニングシーケンスｔｓｅｑを使用し、その際、各通信コネクションに少なくとも１つの加入者シーケンスｔｓｅｑが割り当てられている。タイムスロットｔｓ内におけるこれらのトレーニングシーケンスに基づき基地局ＢＳまたはＭＢＳは、１つの通常のタイムスロットｔｓ内に少なくとも２つのトレーニングシーケンスｔｓｅｑが設けられている図５に示されている事例の場合のように、トレーニングシーケンスｔｓｅｑを用いてチャネル推定を実行し、無線区間における伝送特性に応じて受信信号の等化を追従して行う。
【００３９】
図８には、請求項６による本発明による方法およびそれに基づく有利な実施形態について示されている。この場合、慣用のＴＤＭＡ加入者分離方式に従い無線インタフェースを介してデータが伝送される。各タイムスロットｔｓ１，ｔｓ２，ｔｓ３には、それぞれ１つのトレーニングシーケンスｔｓｅｑが埋め込まれている。また、タイムスロットｔｓ１〜ｔｓ３を、それぞれ１つまたは複数の通信コネクションに割り当てることができる。図示の実例の場合、ダウンリンク区間において、種々の移動局ＭＳ１，ＭＳ２，ＭＳ３からのまたはそれらへのそれぞれ１つの通信コネクションＶ１，Ｖ２，Ｖ３の無線ブロックが、それぞれ１つのタイムスロットｔｓ１，ｔｓ２，ｔｓ３内で伝送される。
【００４０】
チャネル推定を実行するためにたとえば、移動局ＭＳ２はそれに割り当てられたタイムスロットｔｓ２内で伝送されるトレーニングシーケンスｔｓｅｑを使うだけでなく、それにとって既知であり移動局ＭＳ１とＭＳ２へ無線ブロックが伝送されるそれぞれ先行のタイムスロットｔｓ１および後続のタイムスロットｔｓ３のトレーニングシーケンスｔｓｅｑも使用する。したがって、付加的な内挿および／または外挿により移動局ＭＳ２は、無線区間における伝送状態の変化に応じて受信信号の等化を精確に追従して行うことができる。
【００４１】
たいていの事例では、基地局ＢＳから移動局ＭＳ１，ＭＳ２，ＭＳ３への無線ブロックは、移動局のロケーションが様々であることからそれぞれ異なる送信出力で送られる。移動局ＭＳ１，ＭＳ２，ＭＳ３はそのロケーションを連続的に変えるので、たとえば共通してトレーニングシーケンスｔｓｅｑをもつそれぞれ１つの補正係数ｋｆが伝送される。離散した段階で送信出力をコントロールする場合、この補正係数ｋｆを所定の増倍係数とすることができ、これにより、どのような送信出力でまたは最小送信出力段階の何倍で無線ブロックが個々のタイムスロットｔｓ内において基地局ＢＳから移動局ＭＳへ送信されるのかが表される。移動局ＭＳはこの補正係数ｋｆを考慮することで、別の移動局ＭＳに割り当てられたタイムスロットｔｓにおけるトレーニングシーケンスｔｓｅｑの精確な送信出力を求めることができ、その結果をチャネル推定に取り込み、それによっていっそう精確な結果を得ることができるようになる。
【００４２】
しかしこの問題を、以下のようなやり方で解決することもできる。すなわち、基地局ＢＳがトレーニングシーケンスｔｓｅｑを、データシンボルのための平均送信出力よりも大きい送信出力でそのつど一定に送信するようにして解決することもできる。これにより補正係数の伝送が不要になり、また、有利には移動局ＭＳの受信入力側におけるＳＮ比が大きくなる。
【図面の簡単な説明】
【図１】  無線通信システムたとえば移動無線システムのブロック図である。
【図２】  無線局をそこにおいて実現されている受信経路用のコンポーネントとともに示すブロック図である。
【図３】  ＴＤＭＡ加入者分離方式におけるフレーム構造を示す図である。
【図４】  １つのトレーニングシーケンスをもつタイムスロットを示す図である。
【図５】  ２つのトレーニングシーケンスをもつタイムスロットを示す図である。
【図６】  高速列車における適用に関する無線通信システムのブロック図である。
【図７】  多重無線ブロックを示す図である。
【図８】  相前後する複数のタイムスロットを示す図である。
【図１】
0003889926.tif 000002
【図２】
0003889926.tif 000003
【図３】
0003889926.tif 000004
【図４】
0003889926.tif 000005
【図５】
0003889926.tif 000006
【図６】
0003889926.tif 000007
【図７】
0003889926.tif 000008
【図８】
0003889926.tif 000009